(57)【要約】      （修正有）【課題】トピアリー用樹脂製フレームに関し、樹脂製とし、しかも各パーツを個々に成形することで、簡便に製造及び組み立てができるトピアリー用フレームの提供。【解決手段】本体部(20)と、左右の腕部(30a,30b)と、左右の脚部(40a,40b)と、左右の耳部(50a,50b)とに分割されており、各部は、対象物の輪郭を線材(61)を用いてかご形に立体的に形成した成形物(60)からそれぞれ構成されており、各成形物(60)は、線材(61)間の隙間からかご形の内部に水苔を詰め込み、詰め込んだ水苔をかご形の内部に保持できるとともに、樹脂を用いて三次元成形され、各部の間には、互いにはまり合う凹凸部（例えば凹部70、凸部80）の一方がそれぞれに形成されているトピアリー用樹脂製フレーム。【選択図】図１
2016078291.tif 000002
【特許請求の範囲】
【請求項１】
本体部と、左右の腕部と、左右の脚部と、左右の耳部とに分割され、
各部は対象物の輪郭を線材を用いてかご形に立体的に形成した成形物からそれぞれ構成され、
前記各成形物は、前記線材間の隙間から前記かご形の内部に水苔を詰め込み、詰め込んだ前記水苔を前記かご形の内部に保持できるとともに、樹脂を用いて三次元成形され、
前記各部の間には、互いにはまり合う凹凸部の一方がそれぞれに形成されていることを特徴とするトピアリー用樹脂製フレーム。
【請求項２】
前記成形物は、光造形法を用いて成形されていることを特徴とする請求項１に記載のトピアリー用樹脂製フレーム。
【請求項３】
前記成形物は、３Ｄプリンタを用いて成形されていることを特徴とする請求項１に記載のトピアリー用樹脂製フレーム。
【請求項４】
前記線材は、
直径が等しく設定されるとともに、枝別れするように連続して延び、
前記成形物の内外面を平坦に形成していることを特徴とする請求項１〜３のいずれか１項に記載のトピアリー用樹脂製フレーム。
【請求項５】
前記凹凸部のうち、凹部は、前記本体部に形成され、
前記凹凸部のうち、凸部は、前記左右の腕部、前記左右の脚部及び前記左右の耳部にそれぞれ形成され、
前記本体部には、前記左右の腕部、前記左右の脚部及び前記左右の耳部を個別に連結可能な前記凹部を複数箇所に形成していることを特徴とする請求項１〜４のいずれか１項に記載のトピアリー用樹脂製フレーム。
【請求項６】
前記左右の耳部は、
耳の長さの異なる複数種類の成形物から構成され、
製作する動物の種類に応じて、前記本体部に連結する前記耳部の成形物を異ならせていることを特徴とする請求項１〜５のいずれか１項に記載のトピアリー用樹脂製フレーム。
【請求項７】
前記各腕部の前記凸部は、
複数形成され、
前記複数の前記凸部をループ状に連結する可動用成形物を設け、
前記可動用成形物には、
前記凸部にはまり込む少なくとも一対の凹部を設け、
前記可動用成形物を、前記本体部を構成する前記線材にループ状に掛けた後、
当該可動用成形物の前記各凹部に前記腕部の前記各凸部をそれぞれはめ込み、
前記各腕部を前記可動用成形物を介して前記本体部に対し揺動可能に取り付けることを特徴とする請求項５又は請求項６に記載のトピアリー用樹脂製フレーム。
【発明の詳細な説明】
【技術分野】
【０００１】
この発明は、トピアリー用樹脂製フレームに関し、樹脂製とし、しかも各パーツを個々に成形することで、簡便に製造及び組み立てができるようにしたものである。
【背景技術】
【０００２】
従来、針金を動物の形に折れ曲げ、針金同士を他の針金や溶接等で固定したトピアリー用の金属製がフレームが知られている（特許文献１の段落番号「００１０」、図１、並びに特許文献２の段落番号「０００６」及び図５参照）。
【先行技術文献】
【特許文献】
【０００３】
【特許文献１】特開2000-201545号公報
【特許文献２】特開2001-62156号公報
【発明の概要】
【発明が解決しようとする課題】
【０００４】
しかし、上記した従来の金属製がフレームでは、製造が困難で、高価であるという第１の問題点があった。
また、従来の金属製がフレームでは、針金の端末でケガなどをしないように、針金の端末処理が必要であり、又、金属を使用するため、重量が重いという第２の問題点もあった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、樹脂製とし、しかも各パーツを個々に成形することで、簡便に製造及び組み立てができるようにしたものである。
その結果、請求項１に記載の発明によれば、製造が容易で、安価なトピアリー用フレームを提供することができる。
また、請求項１に記載の発明によれば、樹脂を用いているので、端末処理が不要で、且つ安全であるばかりでなく、重量を軽減することができる。
【０００６】
（請求項２）
請求項２に記載の発明は、上記した請求項１に記載の発明の目的に加え、次の点を目的とする。
すなわち、請求項２に記載の発明は、光造形法を用いて成形物を製造することができるようにしたものである。
【０００７】
（請求項３）
請求項３に記載の発明は、上記した請求項１に記載の発明の目的に加え、次の点を目的とする。
すなわち、請求項３に記載の発明は、３Ｄプリンタを用いて成形物を製造することができるようにしたものである。
【０００８】
（請求項４）
請求項４に記載の発明は、上記した請求項１〜３のいずれか１項に記載の発明の目的に加え、次の点を目的とする。
すなわち、請求項４に記載の発明は、成形物の内外面を平坦に形成することで、かご形の内部に水苔を詰め込む際に、水苔の引っ掛かりがなく、作業をスムーズに行うことができるばかりでなく、外観をきれいに仕上げることができるようにしたものである。
【０００９】
（請求項５）
請求項５に記載の発明は、上記した請求項１〜４のいずれか１項に記載の発明の目的に加え、次の点を目的とする。
すなわち、請求項５に記載の発明は、凹部を本体部に形成し、凸部を残る左右の腕部、左右の脚部及び左右の耳部にそれぞれ形成することで、細かなパーツの構造を簡便にし、それらの成形を容易に行うことができるようにしたものである。
【００１０】
（請求項６）
請求項６に記載の発明は、上記した請求項１〜５のいずれか１項に記載の発明の目的に加え、次の点を目的とする。
すなわち、請求項６に記載の発明は、製作する動物の種類に応じて耳部を交換することで、複数種類の動物のトピアリーを容易に製作することができるようにしたものである。
例えば短い耳を連結すれば、「クマ」を、長い耳を連結すれば「ウサギ」を製作できる。
【００１１】
（請求項７）
請求項７に記載の発明は、上記した請求項１〜６のいずれか１項に記載の発明の目的に加え、次の点を目的とする。
すなわち、請求項７に記載の発明は、可動用成形物を腕部に連結することで、全体の構造を変化させずに、腕部に可動性を持たせることができるようにしたものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１３】
（請求項１）
請求項１に記載の発明は、次の点を特徴とする。
第１に、トピアリー用樹脂製フレーム(10)であり、例えば図１に示すように、本体部(20)と、左右の腕部(30a,30b)と、左右の脚部(40a,40b)と、左右の耳部(50a,50b)とに分割されている。
第２に、各部は、対象物の輪郭を線材(61)を用いてかご形に立体的に形成した成形物(60)からそれぞれ構成されている。
第３に、各成形物(60)は、図示しないが、線材(61)間の隙間からかご形の内部に水苔(160)を詰め込み、詰め込んだ水苔(160)をかご形の内部に保持できるとともに、樹脂を用いて三次元成形されている。
第４に、各部の間には、例えば図１に示すように、互いにはまり合う凹凸部（例えば凹部70、凸部80）の一方がそれぞれに形成されている。
【００１４】
（請求項２）
請求項２に記載の発明は、上記した請求項１に記載の発明の特徴点に加え、次の点を特徴とする。
すなわち、成形物(60)は、図示しないが、光造形法を用いて成形されている。
【００１５】
（請求項３）
請求項３に記載の発明は、上記した請求項１に記載の発明の特徴点に加え、次の点を特徴とする。
すなわち、成形物(60)は、図示しないが、３Ｄプリンタを用いて成形されている。
【００１６】
（請求項４）
請求項４に記載の発明は、上記した請求項１〜３のいずれか１項に記載の発明の特徴点に加え、次の点を特徴とする。
すなわち、線材(61)は、例えば図１に示すように、直径が等しく設定されるとともに、枝別れするように連続して延び、成形物(60)の内外面を平坦に形成している。
【００１７】
（請求項５）
請求項５に記載の発明は、上記した請求項１〜４のいずれか１項に記載の発明の特徴点に加え、次の点を特徴とする。
第１に、凹凸部のうち、凹部(70)は、例えば図１に示すように、本体部(20)に形成されている。
第２に、凹凸部のうち、凸部(80)は、例えば図１に示すように、左右の腕部(30a,30b)、左右の脚部(40a,40b)及び左右の耳部(50a,50b)にそれぞれ形成されている。
第３に、本体部(20)には、例えば図１に示すように、左右の腕部(30a,30b)、左右の脚部(40a,40b)及び左右の耳部(50a,50b)を個別に連結可能な凹部(70)を複数箇所に形成している。
【００１８】
（請求項６）
請求項６に記載の発明は、上記した請求項１〜５のいずれか１項に記載の発明の特徴点に加え、次の点を特徴とする。
すなわち、左右の耳部(50a,50b,200a,200b)は、例えば図１１に示すように、耳の長さの異なる複数種類の成形物(60)から構成され、製作する動物の種類に応じて、本体部(20)に連結する耳部(50a,50b,200a,200b)の成形物(60)を異ならせている。
【００１９】
（請求項７）
請求項７に記載の発明は、上記した請求項５又は請求項６に記載の発明の特徴点に加え、次の点を特徴とする。
第１に、各腕部(30a,30b)の凸部(80)は、例えば図１３に示すように、複数形成されている。
第２に、例えば図１３に示すように、複数の凸部(80)をループ状に連結する可動用成形物(300)を設けている。
第３に、可動用成形物(300)には、例えば図１３に示すように、凸部(80)にはまり込む少なくとも一対の凹部(320)を設けている、
第３に、可動用成形物(300)を、例えば図１２に示すように、本体部(20)を構成する線材(61)にループ状に掛けた後、当該可動用成形物(300)の各凹部(320)に腕部(30a,30b)の各凸部(80)をそれぞれはめ込み、各腕部(30a,30b)を可動用成形物(300)を介して本体部(20)に対し揺動可能に取り付ける。
【発明の効果】
【００２０】
本発明は、以上のように構成されているので、以下に記載されるような効果を奏する。
（請求項１）
請求項１に記載の発明によれば、次のような効果を奏する。
すなわち、請求項１に記載の発明によれば、樹脂製とし、しかも各パーツを個々に成形することで、簡便に製造及び組み立てができる。
その結果、請求項１に記載の発明によれば、製造が容易で、安価なトピアリー用フレームを提供することができる。
また、請求項１に記載の発明によれば、樹脂を用いているので、端末処理が不要で、且つ安全であるばかりでなく、重量を軽減することができる。
【００２１】
（請求項２）
請求項２に記載の発明によれば、上記した請求項１に記載の発明の効果に加え、次のような効果を奏する。
すなわち、請求項２に記載の発明によれば、光造形法を用いて成形物を製造することができる。
【００２２】
（請求項３）
請求項３に記載の発明によれば、上記した請求項１に記載の発明の効果に加え、次のような効果を奏する。
すなわち、請求項３に記載の発明によれば、３Ｄプリンタを用いて成形物を製造することができる。
【００２３】
（請求項４）
請求項４に記載の発明によれば、上記した請求項１〜３のいずれか１項に記載の発明の効果に加え、次のような効果を奏する。
すなわち、請求項４に記載の発明によれば、成形物の内外面を平坦に形成することで、かご形の内部に水苔を詰め込む際に、水苔の引っ掛かりがなく、作業をスムーズに行うことができるばかりでなく、外観をきれいに仕上げることができる。
【００２４】
（請求項５）
請求項５に記載の発明によれば、上記した請求項１〜４のいずれか１項に記載の発明の効果に加え、次のような効果を奏する。
すなわち、請求項５に記載の発明によれば、凹部を本体部に形成し、凸部を残る左右の腕部、左右の脚部及び左右の耳部にそれぞれ形成することで、細かなパーツの構造を簡便にし、それらの成形を容易に行うことができる。
【００２５】
（請求項６）
請求項６に記載の発明によれば、上記した請求項１〜５のいずれか１項に記載の発明の効果に加え、次のような効果を奏する。
すなわち、請求項６に記載の発明によれば、製作する動物の種類に応じて耳部を交換することで、複数種類の動物のトピアリーを容易に製作することができる。
例えば短い耳を連結すれば、「クマ」を、長い耳を連結すれば「ウサギ」を製作できる。
【００２６】
（請求項７）
請求項７に記載の発明によれば、上記した請求項１〜６のいずれか１項に記載の発明の効果に加え、次のような効果を奏する。
すなわち、請求項７に記載の発明によれば、可動用成形物を腕部に連結することで、全体の構造を変化させずに、腕部に可動性を持たせることができる。
【図面の簡単な説明】
【００２７】
【図１】フレームの分解斜視図である。
【図２】組み立て状態のフレームの斜視図である。
【図３】本体部の頭部と、左右の耳部との一部分解斜視図である。
【図４】本体部の胴体部と、右側の腕部との一部分解斜視図である。
【図５】本体部の胴体部と、右側の脚部との一部分解斜視図である。
【図６】本体部の頭部と、左右の耳部との組み立て状態の一部斜視図である。
【図７】本体部の頭部と、左右の耳部との組み立て状態の一部斜視図である。
【図８】本体部の胴体部と、右側の脚部との組み立て状態の一部斜視図である。
【図９】組み立て状態のフレームにパーツを装着した状態の斜視図である。
【図１０】トピアリーの一例を示す正面図である。
【図１１】本発明の第２の実施の形態を示し、同図は２組の耳部と、本体部の頭部との分解斜視図である。
【図１２】本発明の第３の実施の形態を示し、腕部を可動用成形物を介して本体部20に取り付けた状態の一部斜視図である。
【図１３】本発明の第３の実施の形態を示し、腕部と可動用成形物との分解斜視図である。
【発明を実施するための形態】
【００２８】
（フレーム10）
図１及び図２中、10はトピアリー用樹脂製フレームである。
動物としては、例えば「クマ」を模している。なお、動物としては、例えば「クマ」を例示したが、これに限定されず、図１０及び図１１に示すように、「ウサギ」でもよいし、他の動物でもよい。
フレーム10は、図１に示すように、本体部20と、左右の腕部30a,30bと、左右の脚部40a,40bと、左右の耳部50a,50bとに分割されている。
なお、図１において向かって左側をフレーム10の左側、又、向かって右側をフレーム10の右側として説明する。例えば、図１において向かって左側を、「クマ」の左腕、左脚、左耳、又、向かって右側を右腕、右脚、右耳として説明する。
【００２９】
本体部20には、頭部21と、胴体部22とを含む。また、本体部20には、リング状の載置部23を設け、左右の脚部40a,40bの各下面との３点で、「クマ」が座った状態に安定保持できるようにしている。
なお、頭部21と胴体部22とを一体としたが、これに限定されず、頭部21と胴体部22とを分離して形成してもよい。
各部は、成形物60からそれぞれ構成されている。
【００３０】
（成形物60）
各成形物60は、図１に示すように、対象物の輪郭を線材61を用いてかご形に立体的に形成したものである。また、成形物60は、図示しないが、線材61間の隙間からかご形の内部に水苔160を詰め込み、詰め込んだ水苔160をかご形の内部に保持できるとともに、樹脂を用いて三次元成形されている。
なお、水苔を例示したが、これに限定されず、他の苔等の天然植物や、綿等の天然素材、或いは人工植物や、人工綿等の人工素材を使用してもよい。
「対象物の輪郭」は、本体部20の場合には、「クマ」の頭部と胴体部である。左右の腕部30a,30bの場合には、「クマ」の腕部である。左右の脚部40a,40bの場合には、「クマ」の脚部である。左右の耳部50a,50bの場合には、「クマ」の耳部である。
ただし、「クマ」の耳部については、立体性に乏しいため、かご形でなく、板状に形成している。
【００３１】
「線材61」は、図１に示すように、直径が等しく設定されるとともに、枝別れするように連続して延び、成形物60の内外面を平坦に形成している。
成形物60の成形方法としては、図示しないが、光造形法、或いは３Ｄプリンタを用いて成形している。
【００３２】
（凹凸部）
各部の間には、図１に示すように、互いにはまり合う凹凸部、例えば凹部70と、凸部80との一方がそれぞれに形成されている。
本実施の形態では、凹凸部のうち、凹部70は、図１に示すように、本体部20に形成している。
また、凹凸部のうち、凸部80は、左右の腕部30a,30b、左右の脚部40a,40b及び左右の耳部50a,50bにそれぞれ形成されている。
【００３３】
本体部20には、左右の腕部30a,30b、左右の脚部40a,40b及び左右の耳部50a,50bを個別に連結可能な腕取付部24a,24b、脚取付部25a,25b、耳取付部26a,26bを設けている。
凹部70は、図４及び図５に示すように、腕取付部24a,24b及び脚取付部25a,25bにおいては、左右の腕部30a,30b及び左右の脚部40a,40bの取付位置にそれぞれ形成されたリング状のベース部71と、当該ベース部71から棒状に延び、所定間隔（例えば９０度間隔）離れて位置する複数本（例えば４本）の直立部72、当該各直立部72の先端部に位置し、端面が開放したリング状の径大部73とから形成されている。
また、凹部70は、図３に示すように、耳取付部26a,26bにおいては、線材61から所定間隔離れて棒状に延びる複数本（例えば３本）の直立部72と、当該各直立部72の先端部に位置し、端面が開放したリング状の径大部73とから形成されている。
【００３４】
（フレーム10の組み立て方法）
上記した構成を備えたフレーム10の組み立て方法について説明する。
本体部20と、左右の腕部30a,30bと、左右の脚部40a,40bと、左右の耳部50a,50bの凹部70と凸部80とを、図１〜８に示すように、はめ込むことで、フレーム10を組み立てる。
また、必要に応じ、凹部70と凸部80とを、はめ込む際に、接着剤を使用して接着してもよいし、或いは凹部70と凸部80とをはめ込んだ後、テグス糸等を使用し、各部を固定してもよく、このようにすることで。各部の連結強度を向上することができる。
【００３５】
（トピアリー100）
組み立てたフレーム10を使用したトピアリー100の製造方法について説明する。
線材61間の隙間からかご形の内部に水苔160を詰め込んで、トピアリー100の製造する。
このとき、左右の耳部50a,50bについては、テグス糸等を使用し、水苔160を線材61に固定する。
【００３６】
また、フレーム10に、図９に示すように、パーツ90を取り付けてもよい。
パーツ90としては、例えば楽器の「バイオリン」を模し、バイオリンを模した楽器本体91と、弓を模した楽器部品92とから構成している。パーツ90は、光造形法、或いは３Ｄプリンタを用いて成形してもよいし、針金や木材で形成してもよい。
【００３７】
図１０は、複数個のトピアリー120〜150を、鉢110にレイアウトした物である。
同図において向かって左側から、「ウサギ」を模し、楽器の「フルート」のパーツを持たせた第１動物形トピアリー120、「ト音記号」を模した記号形トピアリー150、「クマ」を模し、楽器の「バイオリン」のパーツを持たせた第２動物形トピアリー130、「クマ」を模し、楽器の「ギター」のパーツを持たせた第３動物形トピアリー140をそれぞれ配置している。
【００３８】
（図１１を用いた第２の実施の形態の説明）
図１１を用いて、本発明の第２の実施の形態について説明する。
本実施の形態の特徴は、先に図１〜図１０を用いて説明した第１の実施の形態の左右の耳部50a,50bに加え、図１１に示すように、「ウサギ」の耳を模した長い左右の耳部200a,200bを形成し、製作する動物の種類に応じて、本体部20に連結する耳部50a,50b,200a,200bを交換できるようにした点である。
長い左右の耳部200a,200bには、短い左右の耳部50a,50bの凸部80と同寸法の凸部210を形成している。
【００３９】
本実施の形態によれば、長い左右の耳部200a,200bを、本体部20に連結することで、「ウサギ」を模したフレームを簡便に組み立てることができる。
なお、本実施の形態の説明においては、先に説明した第１の実施の形態と同一の構成については、同一の符号を用い説明を省略する。
【００４０】
（図１２及び図１３を用いた第３の実施の形態の説明）
図１２及び図１３を用いて、本発明の第３の実施の形態について説明する。
本実施の形態の特徴は、先に図１〜図１０を用いて説明した第１の実施の形態の左右の腕部30a,30bに、図１３に示す可動用成形物300を装着することで、当該可動用成形物300を介して腕部30a,30bを本体部20に対し揺動可能に取り付けることができるようにした点である。
すなわち、可動用成形物300は、腕部30a,30bの複数本（例えば２本）の凸部80をループ状に連結するものである。可動用成形物300は、略Ｕ字形に屈曲した線材310と、その両端部にそれぞれ位置し、腕部30a,30bの凸部80がはまり込む、端面が開放したリング状の凹部320とを有する。可動用成形物300は、図示しないが、光造形法、或いは３Ｄプリンタを用いて成形する。
【００４１】
可動用成形物(300)は、図１２に示すように、本体部20を構成する線材61にループ状に掛けた後、当該可動用成形物300の各凸部(80)に腕部30a,30bの各凸部80をはめ込み、各腕部30a,30bを可動用成形物300を介して本体部20に対し揺動可能に取り付ける。
本実施の形態によれば、可動用成形物300を腕部30a,30bに連結することで、全体の構造を変化させずに、腕部30a,30bに可動性を持たせることができる。
なお、本実施の形態の説明においては、先に説明した第１の実施の形態と同一の構成については、同一の符号を用い説明を省略する。
【符号の説明】
【００４２】
（第１の実施の形態）
10  フレーム            20  本体部
21  頭部                22  胴体部
23  載置部              24a,24b  腕取付部
25a,25b  脚取付部        26a,26b  耳取付部
30a,30b  腕部            40a,40b  脚部
50a,50b  耳部          60  成形物
61  線材                62  隙間
70  凹部                71  ベース部
72  直立部              73  径大部
80  凸部                90  パーツ
91  楽器本体            92  楽器部品
100  トピアリー          110  鉢
120〜140  第１〜第３動物形トピアリー
150  記号形トピアリー    160  水苔
（第２の実施の形態）
200a,200b  交換用耳部    210  凸部
（第１の実施の形態）
300  可動用成形物
310  線材                320  凹部
【図１】
2016078291.tif 000003
【図２】
2016078291.tif 000004
【図３】
2016078291.tif 000005
【図４】
2016078291.tif 000006
【図５】
2016078291.tif 000007
【図６】
2016078291.tif 000008
【図７】
2016078291.tif 000009
【図８】
2016078291.tif 000010
【図９】
2016078291.tif 000011
【図１０】
2016078291.tif 000012
【図１１】
2016078291.tif 000013
【図１２】
2016078291.tif 000014
【図１３】
2016078291.tif 000015